(57)【要約】【課題】既存のランド・グリッド・アレイパッケージモジュール中のモジュール本体とアンテナの接続が不安定である問題を解決するため、本発明はランド・グリッド・アレイパッケージモジュール及び機器を提供する。【解決手段】当該ランド・グリッド・アレイパッケージモジュールは、モジュール本体と、アンテナと、を有し、モジュール本体とアンテナは一体構造に形成される。本発明によると、ランド・グリッド・アレイパッケージモジュール中のモジュール本体とアンテナとを一体化することで、モジュール本体とアンテナの接続強度を高めて、使用中にモジュール本体とアンテナが分離することがなく、機器の運行安定性を保証できる。【選択図】図２
2016514379.tif 000002
【特許請求の範囲】
【請求項１】
モジュール本体と、アンテナと、を備え、
前記モジュール本体とアンテナが一体構造に形成されるランド・グリッド・アレイパッケージモジュール。
【請求項２】
前記モジュール本体の一端が外側へ延長して延長部を形成し、前記アンテナが前記延長部に設けられる請求項１に記載のランド・グリッド・アレイパッケージモジュール。
【請求項３】
前記延長部は、前記モジュール本体の無線周波数領域が延長してなる請求項２に記載のランド・グリッド・アレイパッケージモジュール。
【請求項４】
前記アンテナが、配線式で前記モジュール本体の延長部に設けられる請求項２に記載のランド・グリッド・アレイパッケージモジュール。
【請求項５】
前記延長部が、フレキシブル基板である請求項２に記載のランド・グリッド・アレイパッケージモジュール。
【請求項６】
前記フレキシブル基板が、少なくとも二層のアース用の基板層と、隣り合う二層の基板層の間に位置する無線周波数信号層と、を有し、前記アンテナが配線式で前記無線周波数信号層に設けられる請求項５に記載のランド・グリッド・アレイパッケージモジュール。
【請求項７】
前記モジュール本体が、ＰＣＢ基板であり、前記フレキシブル基板は前記ＰＣＢ基板のＴＯＰ三層が延長してなるものである請求項６に記載のランド・グリッド・アレイパッケージモジュール。
【請求項８】
前記無線周波数信号層と隣り合う二層の基板層との間の媒体の厚みは、５０ ｏｈｍ抵抗制御原則と前記アンテナの配線幅によって決められる請求項５に記載のランド・グリッド・アレイパッケージモジュール。
【請求項９】
前記アンテナが、無線周波数アンテナ、ブルートゥースアンテナ、ＧＰＳアンテナの中の１種類又は複数種類である請求項１乃至８の中のいずれかに記載のランド・グリッド・アレイパッケージモジュール。
【請求項１０】
マザーボードと、
請求項１乃至９の中のいずれかに記載のランド・グリッド・アレイパッケージモジュールと、を有し、
前記ランド・グリッド・アレイパッケージモジュールが前記マザーボードに接続される機器。
【請求項１１】
前記ランド・グリッド・アレイパッケージモジュールのモジュール本体の一端が外側へ延長して延長部を形成し、前記延長部は着脱可能に前記マザーボードに接続され、前記モジュール本体の他端は着脱不能に前記マザーボードに接続される請求項１０に記載の機器。
【発明の詳細な説明】
【技術分野】
【０００１】
本発明は、通信機器製造分野に関し、具体的に、ランド・グリッド・アレイパッケージモジュール及び機器に関する。
【背景技術】
【０００２】
端末利用者による３Ｇ機能に対する需要がますます多くなっていくことによって、ＬＧＡ（ランド・グリッド・アレイパッケージ）技術を代表とするパッケージモジュールが、その安定的な構造特性及び優れた環境適応性により、多くの端末機器製造者の好意を寄せている。
【０００３】
既存のＬＧＡモジュールにおいて、モジュール本体とアンテナとの主な接続方式は、アンテナが無線周波数接続線を介してモジュール本体の無線周波数テストソケットに接続される方式である。しかし、このような接続方式によると、接続が不安定的で、ポートが緩みやすくなって、通信接続の信頼性を低下させる問題が存在している。
【発明の概要】
【発明が解決しようとする課題】
【０００４】
既存のＬＧＡモジュールにおいてモジュール本体とアンテナとの接続が不安定である問題に鑑みて、本発明の実施例はＬＧＡモジュール及び機器を提供する。
【課題を解決するための手段】
【０００５】
一実施例において、本発明の実施例に係わるＬＧＡモジュールは、モジュール本体と、アンテナと、を備え、モジュール本体とアンテナが一体構造に形成される。
【０００６】
上記実施例におけるモジュール本体の一端が外側へ延長して延長部を形成し、アンテナが延長部に設けられることが好ましい。
【０００７】
上記実施例における延長部は、モジュール本体の無線周波数領域が延長してなるものであることが好ましい。
【０００８】
上記実施例におけるアンテナが、配線式でモジュール本体の延長部に設けられることが好ましい。
【０００９】
上記実施例における延長部が、フレキシブル基板であることが好ましい。
【００１０】
上記実施例におけるフレキシブル基板が、少なくとも二層のアース用の基板層と、隣り合う二層の基板層の間に位置する無線周波数信号層と、を有し、アンテナが配線式で無線周波数信号層に設けられることが好ましい。
【００１１】
上記実施例における無線周波数信号層と隣り合う二層の基板層との間の媒体の厚みは、５０ｏｈｍ抵抗制御原則とアンテナの配線幅によって決められることが好ましい。
【００１２】
上記実施例におけるモジュール本体が、プリント回路基板（Printed Circuit Board、ＰＣＢ基板と略称）であり、フレキシブル基板はＰＣＢ基板のＴＯＰ三層が延長してなるものであることが好ましい。
【００１３】
上記実施例におけるアンテナが、無線周波数アンテナ、ブルートゥースアンテナ、ＧＰＳアンテナの中の１種類又は複数種類であることが好ましい。
【００１４】
同時に、本発明の実施例によると機器を提供し、一実施例において、当該機器は、マザーボードと、上記いずれかの実施例に記載のＬＧＡモジュールとを有し、ＬＧＡモジュールがマザーボードに接続される。
【００１５】
上記実施例におけるＬＧＡモジュールのモジュール本体の一端が外側へ延長して延長部を形成し、延長部は着脱可能にマザーボードに接続され、モジュール本体の他端は着脱不能にマザーボードに接続されることが好ましい。
【発明の効果】
【００１６】
本発明によると、ＬＧＡモジュール中のモジュール本体とアンテナとを一体化することで、モジュール本体とアンテナとの接続強度を高めて、使用中にモジュール本体とアンテナが分離することがなく、機器の運行安定性を保証できる。また、アンテナが位置する延長部をフレキシブル基板とすることが好ましく、アンテナを端末機器に装着する場合、機器のマザーボードの任意の空き位置に設けることができ、機器を装着する際のアンテナの配置位置の選択性を高めることができる。
【図面の簡単な説明】
【００１７】
【図１】図１は、本発明の一実施例で提供するＬＧＡモジュールを示す図である。
【図２】図２は、本発明の一実施例で提供するＬＧＡモジュールを示す図である。
【図３】図３は、図２中の延長部を示す図である。
【図４】図４は、本発明の一実施例で提供する機器を示す図である。
【発明を実施するための形態】
【００１８】
以下、具体的な実施形態と図面を結合して、本発明を詳しく説明する。
本発明の実施例においてＬＧＡモジュール及び機器を提供して、既存のＬＧＡモジュールにおいてモジュール本体とアンテナが分離して接続が不安定である問題を解決する。
【００１９】
図１は、本発明の一実施例で提供するＬＧＡモジュールを示す図であり、図１に示すように、当該実施例において、本発明の実施例で提供するＬＧＡモジュール１は、モジュール本体１１と、アンテナ１２と、を有し、
モジュール本体１１は、ＬＧＡモジュールの基本的なデータ処理機能を実現するように構成され、
アンテナ１２は、モジュール本体１１と周辺機器との間で信号の送受信を行うように構成され、
当該実施例において、モジュール本体１１とアンテナ１２は一体構造を有し、具体的には、両方が同一の基板に設けられることができる。
【００２０】
図２は、本発明の一実施例で提供するＬＧＡモジュールを示す図であり、図２に示すように、当該実施例において、本発明の実施例で提供するＬＧＡモジュール１は、モジュール本体１１と、アンテナ１２と、を有し、モジュール本体１１の一端は外側へ延長して延長部１３を形成し、アンテナ１２は延長部１３に設けられ、当該延長部１３の形状はさまざまであることができ、例えば、矩形、円弧形等の規則形状又は不規則形状であることができ、図２に示す形状に限定されることではない。
【００２１】
当該実施例における延長部１３が、モジュール本体１１の無線周波数領域が延長してなるものであることが好ましく、該無線周波数領域はＬＧＡモジュール１の無線周波数通信機能を実現する領域を指す。
【００２２】
当該実施例におけるアンテナ１２が、配線式でモジュール本体１１の延長部１３に設けられることが好ましい。
【００２３】
上記実施例における延長部１３が、フレキシブル基板であって、当該フレキシブル基板はＦＰＣ基板であることが好ましく、また、延長部１３は他のタイプの回路基板であることもでき、信号の伝送を行うことができる線及び湾曲を有するものであればよい。
【００２４】
図３は図２中の延長部１３を示す図であり、図３に示すように、当該実施例において、当該延長部１３はＦＰＣフレキシブル基板であって、当該ＦＰＣフレキシブル基板は、少なくとも二層のアース用の基板層３１、３２と、隣り合う二層の基板の間に位置する無線周波数信号層３３と、を有し、アンテナ１２は配線式で無線周波数信号層３３に設けられ、アンテナ１２の配線形式もさまざまであることができ、図３に最適な配線方式のみを示しているが、これに限定されることはない。
【００２５】
上記実施例における無線周波数信号層３３と基板層３１及び無線周波数信号層３３と基板層３２との間の媒体の厚みは、５０ｏｈｍ抵抗制御原則とアンテナ１２の配線幅によって決められることが好ましい。
【００２６】
上記実施例におけるモジュール本体がＰＣＢ基板であって、ＦＰＣフレキシブル基板がＰＣＢ基板のＴＯＰ（最も前の）三層が延長してなるものであることが好ましく、当該ＴＯＰ三層とは、ＬＧＡモジュール中のモジュール本体に用いられるＰＣＢ基板の第１層、第２層、第３層を指し、つまり、ＰＣＢ基板の第１層が延長してなる基板層３１、第２層が延長してなる無線周波数信号層３３、第３層が延長してなる基板層３２を指す。
【００２７】
上記実施例におけるアンテナが、無線周波数アンテナ、ブルートゥースアンテナ、ＧＰＳアンテナ等の近距離通信アンテナの中の１種類又は複数種類であることが好ましい。
【００２８】
図４は、本発明の一実施例で提供する機器を示す図であり、図４に示すように、当該実施例において、該機器４は、マザーボード４１と、上記いずれかの実施例で提供するＬＧＡモジュール１と、を有し、ＬＧＡモジュール１は、モジュール本体１１と延長部１３とを有し、ＬＧＡモジュール１はマザーボード４１に接続される。
【００２９】
当該実施例におけるＬＧＡモジュール１のモジュール本体１１の一端は外側へ延長して延長部１３を形成し、延長部１３は着脱可能にマザーボード４１に接続され、モジュール本体１１の他端は着脱不能にマザーボード４１に接続されることが好ましい。具体的に、延長部１３が両面テープ等によってマザーボード４１に接続され、モジュール本体１１の他端が溶接によってマザーボード４１に接続されることができ、このような接続方式によると、ＬＧＡモジュール１とマザーボード４１との離脱を防止すると共に、アンテナ１２をマザーボード４１の任意の空き位置に設けることができ、また、移動の便宜を図ることもでき、端末機器４中の各部材の配置に有利である。ＬＧＡモジュール１及び/又はマザーボード４１に複数のアンテナが存在する場合、配置する際に各アンテナの間の信号干渉問題を考慮しなければならないので、この時、複数のアンテナを隔離しなければならない。
【００３０】
本発明によると、少なくとも以下のような有益な効果を実現できる。
１．ＬＧＡモジュール中のモジュール本体とアンテナとを一体化にして、モジュール本体とアンテナとの接続強度を高めて、使用中にモジュール本体とアンテナが分離することがなく、機器の運行安定性を保証できる。
２．アンテナが位置する延長部をフレキシブル基板とすることで、アンテナを端末機器に装着する場合、機器のマザーボードの任意の空き位置に配置することができ、機器を装着する際のアンテナの配置位置の選択性を高めることができる。
３．５０ｏｈｍ抵抗制御原則とアンテナ１２の配線幅に基づいて無線周波数信号層３３と基板層３１及び無線周波数信号層３３と基板層３２の間の媒体の厚みを決めることで、無線周波数信号を伝送する際の信号の減衰を低減することができる。
【００３１】
産業上の利用可能性
本発明の実施例によると、モジュール本体とアンテナを一体構造に形成し、製造工程が簡単で、構造が安定的であって、良好な産業上の利用可能性を有している。
【００３２】
以上は、本発明の具体的な実施形態に過ぎず、本発明を限定するものではない。本発明の技術の実質に基づいて上述した実施形態に対して行った簡単な修正、同等変更又は修飾は全て本発明の保護範囲内に含まれる。
【図１】
2016514379.tif 000003
【図２】
2016514379.tif 000004
【図３】
2016514379.tif 000005
【図４】
2016514379.tif 000006
【国際調査報告】
2016514379.tif 000007
2016514379.tif 000008
2016514379.tif 000009
2016514379.tif 000010